(57)【要約】【課題】  フィーダー線による対雑音性能の低下が起こらない映像受信機を提供する。【解決手段】  放送電波を受信するロッドアンテナと、前記ロッドアンテナの直下で前記ロッドアンテナに接続された整合器と、前記整合器に一端で接続された同軸ケーブルと、前記同軸ケーブルの他端に接続された接栓と、放送電波を選局するチューナーへと接続されたチューナー入力端子とを備え前記接栓と前記チューナー入力端子とを接続又は非接続とすることを可能としたことを特徴とする映像受信機。【選択図】      図２
2007013336.tif 000002
【特許請求の範囲】
【請求項１】
キャビネットを有する映像受信機において、
前記キャビネット上に配置され放送電波を受信するロッドアンテナと、
前記ロッドアンテナの直下で前記ロッドアンテナに接続された整合器と、
前記整合器に一端で接続された同軸ケーブルと、
前記同軸ケーブルの前記キャビネットの外側に露出した他端に接続された接栓と、
放送電波を選局するチューナーへと接続され前記キャビネットの外側に露出し前記接栓と選択的に接続できるように構成したチューナー入力端子とを
備え前記整合器がキャビネット外側に配置されたことを特徴とする映像受信機。
【請求項２】
キャビネットを有する映像受信機において、前記整合器がキャビネット内部に配置されたことを特徴とする請求項１に記載の映像受信機。
【発明の詳細な説明】
【技術分野】
【０００１】
本発明は、映像受信機に係り、特に、ロッドアンテナを用いる映像受信機に関する。
【背景技術】
【０００２】
テレビ受像機の視聴のために電波を室内や車で受信する場合にモノポールアンテナ、ダイポールアンテナが用いられてきた。
例えば特開平７−５８５３７号公報（特許文献１）によるものは、車載を目的としてモノポールアンテナを75Ω同軸ケーブルに導く構成である。しかしながら室内では一般にロッドアンテナによるダイポールアンテナが用いられている。ダイポールアンテナの特性インピーダンスは３００Ωであり、整合器を介さずには対雑音性能が比較的良い75Ω同軸ケーブルに接続することが出来ず、アンテナから整合器まではより対雑音性能が劣るフィーダー線で接続する装置構成を採らなければならないという問題があった。
【特許文献１】特開平７−５８５３７号公報（図３）
【発明の開示】
【発明が解決しようとする課題】
【０００３】
本発明は、より対雑音性能が劣るフィーダー線で接続する装置構成を採らなければならないという問題を解決した映像受信機を提供することを目的とする。
【課題を解決するための手段】
【０００４】
上記課題を解決するために、本発明の映像受信機は、放送電波を受信するロッドアンテナと、前記ロッドアンテナの直下で前記ロッドアンテナに接続された整合器と、前記整合器に一端で接続された同軸ケーブルと、前記同軸ケーブルの他端に接続された接栓と、放送電波を選局するチューナーへと接続されたチューナー入力端子とを備え前記接栓と前記チューナー入力端子とを接続又は非接続とすることを可能としたことを特徴とする。
【発明の効果】
【０００５】
本発明によれば、フィーダー線による対雑音性能の低下が起こらない映像受信機が得られる。
【発明を実施するための最良の形態】
【０００６】
以下、本発明の実施例を説明する。
【実施例１】
【０００７】
本発明による映像受信機の実施例１としてテレビジョンセットの例を図１及び図２を参照して説明する。図１は映像受信機の外観図であり、（ａ）は正面図、（ｂ）は側面図である。映像受信機１は、基板上の回路やモジュールで構成されるチューナー２を内蔵している。
【０００８】
図２は映像受信機の構成図である。ロッドアンテナ１０は電波を受信するもので整合器１１に接続し、整合器１１は同軸ケーブル１２に接続してロッドアンテナ１０と同軸ケーブル１２とのインピーダンス整合を担う。チューナー入力端子１３はテレビキャビネット１４の背面に出て、同軸ケーブル１２の整合器１１と接続された一端の反対の端に接続されたチューナ接続用の接栓１５を接続できる構造となっている。チューナー入力端子１３には、チューナ接続用の接栓１５以外にも別のアンテナから電波を導かれた接栓を接続することもできる。チューナー入力端子１３は映像受信機１の内部でチューナー２に接続されている。
【０００９】
ロッドアンテナ１０、整合器１１、同軸ケーブル１２、接栓１５もテレビキャビネット１４の背面にあり、ロッドアンテナ１０の直下に整合器１１が設置してある。
動作としては、放送電波をロッドアンテナ１０で受信後、整合器１１がインピーダンス変換を行ないながら同軸ケーブル１２に給電しその後、接栓１５がチューナー入力端子１３に接続する事で放送波が受信出来る。
【００１０】
本実施例によれば、ロッドアンテナ１０の直下に整合器１１を設置しかつ同軸ケーブル１２経由にてチューナー２に入力する為、妨害波に対して映像品位を保つ事ができる。
【実施例２】
【００１１】
本発明による映像受信機の実施例２としてテレビジョンセットの例を図１及び図３を参照して説明する。実施例１と同じ符号を付けている部分の構成、動作は実施例１と同様であり説明を省略する。
【００１２】
図３は映像受信機の構成図である。図２と比べ空芯コイル１６が加わっている。
空芯コイル１６がロッドアンテナ１０に通されていることにより、ロッドアンテナ１０は等価的により長いアンテナの擬似アンテナとなる。動作としては、空芯コイル１６が無い場合よりもより低い周波数までチューナーは受信、選局することが可能となる。
【実施例３】
【００１３】
本発明による映像受信機の実施例３としてテレビジョンセットの例を図１及び図４を参照して説明する。実施例１と同じ符号を付けている部分の構成、動作は実施例１と同様で有り説明を省略する。
【００１４】
図４は映像受信機の構成図である。ロッドアンテナ２０は電波を受信するもので整合器２１に接続し、整合器２１は同軸ケーブル２２に接続してロッドアンテナ２０と同軸ケーブル２２とのインピーダンス整合を担う。チューナー入力端子１３はテレビキャビネット２４の背面に出て、同軸ケーブル２２の整合器２１と接続された一端の反対の端に接続されたチューナ接続用の接栓１５を接続できる構造となっている。チューナー入力端子１３には、チューナ接続用の接栓１５以外にも別のアンテナから電波を導かれた接栓を接続することもできる。
【００１５】
ロッドアンテナ２０は、主に電波の受信部分はテレビキャビネット２４の上面に出て残りの基礎部分はテレビキャビネット２４の内部にある。整合器２１は、テレビキャビネット２４の内部にあり、ロッドアンテナ２０の直下に整合器２１が設置してある。同軸ケーブル２２は、整合器２１に接続する一端はテレビキャビネット２４の内部にあり、接栓１５に接続する多端はテレビキャビネット２４の外側背面に出ている。
【００１６】
動作としては、放送電波をロッドアンテナ２０で受信後、整合器２１がインピーダンス変換を行ないながら同軸ケーブル２２に給電しその後、接栓１５がチューナー入力端子１３に接続する事で放送波を受信出来る。
【００１７】
本実施例によれば、ロッドアンテナ２０の直下に整合器２１を設置しかつ同軸ケーブル２２にてチューナーに入力する為、妨害波に対して映像品位を保つ事ができる。
【図面の簡単な説明】
【００１８】
【図１】本発明による映像受信機の実施例１の外観図。
【図２】映像受信機の実施例１の構成図。
【図３】映像受信機の実施例２の構成図。
【図４】映像受信機の実施例３の構成図。
【符号の説明】
【００１９】
１  映像受信機
２  チューナー
１０  ロッドアンテナ
１１  整合器
１２  同軸ケーブル
１３  チューナー入力端子
１４  テレビキャビネット
１５  接栓
１６  空芯コイル
２０  ロッドアンテナ
２１  整合器
２２  同軸ケーブル
２４  テレビキャビネット
【図１】
2007013336.tif 000003
【図２】
2007013336.tif 000004
【図３】
2007013336.tif 000005
【図４】
2007013336.tif 000006